(57)【要約】【課題】直交周波数分割マルチプレキシング（ＯＦＤＭ）システムでデータパケットを送信する方法を提供する。【解決手段】直交周波数分割マルチプレキシング（ＯＦＤＭ）システムでデータパケットを送信する方法において、アクセスターミナル（ＡＴ）からフィードバック情報を受信する段階と、前記フィードバック情報に基づいてＣＰ（ｃｙｃｌｉｃ  ｐｒｅｆｉｘ）とデータ部分の可変期間及びＣＰの可変個数のうち少なくとも一つを使用して室内環境または室外環境用データパケットを構成する段階と、前記構成されたデータパケットをＡＴに送信する段階とを含んでデータパケット送信方法を構成する。【選択図】図１
2009538032.tif 000002
【特許請求の範囲】
【請求項１】
直交周波数分割マルチプレキシング（ＯＦＤＭ）システムでデータパケットを送信する方法において、
アクセスターミナル（ＡＴ）からフィードバック情報を受信する段階と、
前記フィードバック情報に基づいてＣＰ（ｃｙｃｌｉｃ  ｐｒｅｆｉｘ）とデータ部分の可変期間及びＣＰの可変個数のうち少なくとも一つを使用して室内環境または室外環境用データパケットを構成する段階と、
前記構成されたデータパケットをＡＴに送信する段階と
を含むことを特徴とするデータパケット送信方法。
【請求項２】
前記フィードバック情報は、チャネル品質情報及びセクター情報のうち一つ以上であることを特徴とする請求項１に記載のデータパケット送信方法。
【請求項３】
前記データパケットは、複数の物理的フレーム及びプリアンブルを表すことを特徴とする請求項１に記載のデータパケット送信方法。
【請求項４】
前記プリアンブルは、前記データパケットが前記室内環境または室外環境のためのものであるかを表すことを特徴とする請求項３に記載のデータパケット送信方法。
【請求項５】
逆方向リンク及び順方向リンクのためのデータパケットが周期的にアラインされることを特徴とする請求項１に記載のデータパケット送信方法。
【請求項６】
前記構成されたデータパケットは、前記室内及び室外環境の時間的にマルチプレクスされたフォーマットを表すことを特徴とする請求項１に記載のデータパケット送信方法。
【請求項７】
前記構成されたデータパケットは、１．２２８８MHz、１．６８MHZまたはこれらの倍数のチップレートを有することを特徴とする請求項１に記載のデータパケット送信方法。
【請求項８】
前記室内環境用として構成されたデータパケットは、室外環境用として構成されたデータパケットより狭いトーンスペーシング及び短いＣＰを有することを特徴とする請求項１に記載のデータパケット送信方法。
【請求項９】
直交周波数分割マルチプレキシング（ＯＦＤＭ）システムで無線資源を割り当てる方法において、
前記無線資源をノードツリーに対応するように構成する段階と、
前記ノードツリーから一つのノードを各使用者に割り当て、前記各使用者が、前記割り当てられたノート及び前記割り当てられたノードから由来する一つ以上のノードを一緒に使用する段階と、
一つ以上のノードがノードツリーから割り当てられない場合、前記一つ以上の割り当てられないノードを正規データトーン、ガードトーンまたはパイロットトーンのうち少なくとも一つに割り当てる段階と
を含む無線資源割り当て方法。
【請求項１０】
前記無線資源は、タイルであることを特徴とする請求項９に記載の無線資源割り当て方法。
【請求項１１】
前記タイルは、１６個のサブキャリア及び８個のＯＦＤＭシンボルで構成されることを特徴とする請求項１０に記載の無線資源割り当て方法。
【請求項１２】
前記タイルは、構成可能な数のサブキャリア及びＯＦＤＭシンボルを有することを特徴とする請求項１０に記載の無線資源割り当て方法。
【請求項１３】
前記タイルは、３２個以上のサブキャリア及び４個以上のＯＦＤＭシンボルで構成されることを特徴とする請求項１２に記載の無線資源割り当て方法。
【請求項１４】
前記ＯＦＤＭシステムは、可変サブキャリアスペーシング及びＣＰを有することを特徴とする請求項９に記載の無線資源割り当て方法。
【請求項１５】
前記ノードツリーは、２進ノードツリーであることを特徴とする請求項９に記載の無線資源割り当て方法。
【請求項１６】
直交周波数分割マルチプレキシング（ＯＦＤＭ）システムで無線資源を割り当てる方法において、
前記無線資源をノードツリーに対応するように構成する段階と、
各無線資源をノードツリーのノードに割り当て、前記ノードがタイルである段階と、
一つ以上のタイルが使用されない場合、前記一つ以上の割り当てられないタイルを正規データトーン、ガードトーンまたはパイロットトーンのうち少なくとも一つに割り当てる段階と
を含む無線資源割り当て方法。
【請求項１７】
前記タイルは、構成可能であることを特徴とする請求項１６に記載の無線資源割り当て方法。
【請求項１８】
前記タイルは、３２個以上のサブキャリア及び４個以上のシンボルで構成されることを特徴とする請求項１７に記載の無線資源割り当て方法。
【請求項１９】
前記使用されないタイルは、各タイルの間に挿入されたパイロットトーンとして使用されることを特徴とする請求項１６に記載の無線資源割り当て方法。
【請求項２０】
前記ノードツリーは、２進ノードツリーであることを特徴とする請求項１６に記載の無線資源割り当て方法。
【発明の詳細な説明】
【技術分野】
【０００１】
本発明は、データを送信する方法に関するもので、特に、無線通信システムにおける効果的で効率的な送信のために無線資源を構成する方法に関するものである。
【背景技術】
【０００２】
セルラー通信において、当業者は、１Ｇ、２Ｇ及び３Ｇという用語を頻繁に用いる。これら用語は、使用されるセルラー技術世代を示す。すなわち、１Ｇは第１世代を示し、２Ｇは第２世代を示し、３Ｇは第３世代を示す。
【０００３】
１Ｇは、ＡＭＰＳ（Ａｄｖａｎｃｅｄ  Ｍｏｂｉｌｅ  Ｐｈｏｎｅ  Ｓｅｒｖｉｃｅ）電話システムとして知られたアナログ電話システムを示す。２Ｇは、一般的に全世界に広がったデジタルセルラーシステムを示すために使用され、ＣＤＭＡＯｎｅ、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）及び時分割多重アクセス（ＴＤＭＡ）を含む。２Ｇシステムは、１Ｇシステムより密集された領域でより多くの使用者を支援することができる。
【０００４】
３Ｇは、一般的に現在展開されているデジタルセルラーシステムを示す。これら３Ｇ通信システムは、多少の重大な差異点を有するが、概念的には互いに類似している。
【０００５】
最近の無線通信システムにおいて、使用者（またはモバイル）は、妨害のないサービスを楽しみながら自由に歩き回ることができる。このために、無線システムの全ての種類の異なる条件及び環境下で通信システムのサービスの効率及び効果を改善する方式及び技術開発が重要である。多様な条件及び環境に対処し、通信サービスを向上させるために、不必要な信号伝送の減少を含む多様な方法は、より効果的で効率的な送信を促進するとともに、資源を解放させるのに使用される。
【発明の概要】
【発明が解決しようとする課題】
【０００６】
本発明は、従来技術の限界及び短所による一つ以上の問題点を実質的に除去できる、無線通信システムにおける効果的で効率的な送信のために無線資源を構成する方法に関するものである。
【０００７】
本発明の目的は、直交周波数分割マルチプレキシング（ＯＦＤＭ）システムでデータパケットを送信する方法を提供することにある。
【０００８】
本発明の他の目的は、直交周波数分割マルチプレキシング（ＯＦＤＭ）システムで無線資源を割り当てる方法を提供することにある。
【課題を解決するための手段】
【０００９】
本発明の他の利点、目的及び特徴は、部分的には以下の説明に記載されており、部分的には当業者にとって自明であるか、本発明の実行を通して知ることができる。本発明の目的及び利点は、添付された図面のみならず、詳細な説明及び特許請求の範囲に記載された構造によって実現及び獲得される。
【００１０】
本発明の目的によって上記の目的及び他の利点を達成するために、直交周波数分割マルチプレキシング（ＯＦＤＭ）システムでデータパケットを送信する方法として、アクセスターミナル（ＡＴ）からフィードバック情報を受信する段階と、前記フィードバック情報に基づいてＣＰ（ｃｙｃｌｉｃ  ｐｒｅｆｉｘ）とデータ部分の可変期間及びＣＰの可変個数のうち少なくとも一つを使用して室内環境または室外環境用データパケットを構成する段階と、前記構成されたデータパケットをＡＴに送信する段階とを含む方法が提供される。
【００１１】
本発明の他の形態において、直交周波数分割マルチプレキシング（ＯＦＤＭ）システムで無線資源を割り当てる方法として、前記無線資源をノードツリーに対応するように構成する段階と、前記ノードツリーから一つのノードを各使用者に割り当て、前記各使用者が前記割り当てられたノート及び前記割り当てられたノードから由来する一つ以上のノードを一緒に使用する段階と、一つ以上のノードがノードツリーから割り当てられない場合、前記一つ以上の割り当てられないノードを正規データトーン、ガードトーンまたはパイロットトーンのうち少なくとも一つに割り当てる段階とを含む方法が提供される。
【００１２】
本発明の他の形態において、直交周波数分割マルチプレキシング（ＯＦＤＭ）システムで無線資源を割り当てる方法として、前記無線資源をノードツリーに対応するように構成する段階と、各無線資源をノードツリーのノードに割り当て、前記ノードがタイルである段階と、一つ以上のタイルが使用されない場合、前記一つ以上の割り当てられないタイルを正規データトーン、ガードトーンまたはパイロットトーンのうち少なくとも一つに割り当てる段階とを含む方法が提供される。
【００１３】
上述した一般的な説明と本発明の詳細な説明は、例示的なものであり、本発明を具体的に説明するために提供されたものである。
【発明の効果】
【００１４】
本発明によると、直交周波数分割マルチプレキシング（ＯＦＤＭ）システムでデータパケットを送信する方法を提供することができる。
【００１５】
また、本発明によると、直交周波数分割マルチプレキシング（ＯＦＤＭ）システムで無線資源を割り当てる方法を提供することができる。
【図面の簡単な説明】
【００１６】
【図１】より長いデータシンボル期間を示した例示的な図である。
【図２】ＦＬ及びＲＬのスーパーフレーム構造を示した例示的な図である。
【図３】ＦＬ及びＲＬのスーパーフレーム構造を示した他の例示的な図である。
【図４】資源割り当てのためのツリー構造を示した例示的な図である。
【発明を実施するための形態】
【００１７】
以下、図面に基づいて本発明の好適な実施例を説明する。図面において、同一の部分または類似した部分には、可能な限り同一の参照番号を付している。
【００１８】
データ送信において、送信機及び／または受信機の環境は送信に影響を与える。環境は、２個の範疇、すなわち、室内環境及び室外環境に分類される。
【００１９】
室内環境では、一般的に遅延拡散が小さく、送信機及び／または受信機が低速動作または停止している。結果的に、この環境（例えば、室内環境）では、より狭いトーン（またはサブキャリア）が使用されるという点で直交周波数分割マルチプレキシング（ＯＦＤＭ）のＣＰ（ｃｙｃｌｉｃ  ｐｒｅｆｉｘ）の長さが減少する。
【００２０】
シンボル当たりのＣＰが短くなるほど、データ送信のために使用されるエネルギーは、より小さいＣＰオーバーヘッドのために増加する。すなわち、総データ送信時間は、より狭いＯＦＤＭトーンの使用によって更に増加し、結果的にデータシンボル期間がより長くなる。
【００２１】
図１は、より長いデータシンボル期間を示した例示的な図である。図１を参照すると、以前のＯＦＤＭは２個のＣＰを有し、それぞれのＣＰはｘ個のチップの長さを有する。その後、１２８個のチップの長さを有するデータシンボルが存在する。新しいＯＦＤＭシンボルにおいて、ｘ個のチップの長さを有する一つのＣＰが存在し、その後に２５６個のチップを有するデータシンボルが存在する。ここで、以前のＯＦＤＭシンボル（または上部シンボル）は、室外環境のためのシンボル設計として見なされ、新しいＯＦＤＭシンボル（または下部シンボル）は、室内環境のためのシンボル設計として見なされる。
【００２２】
すなわち、上部ＯＦＤＭシンボルは、期間Ｔにかけて２個のＣＰを必要とするが、下部（新しい）ＯＦＤＭシンボルは、ただ一つのＣＰを必要とする。これは、ｘとしてＣＰ長さが選択された例である。データチップの長さまたは数を変更可能な他のＣＰ長さが使用されることもあり、室内環境に対して、ＣＰ長さが小さくなることもある。
【００２３】
また、図１の例では、上部（以前の）ＯＦＤＭシンボルのデータ部分に対して１２８個のチップを用いるが、他のサンプルチップサイズが使用されることもある（例えば、２５６個のチップ）。また、倍数が上記のように２である必要はなく、３、４などの他の倍数が使用されることもある。
【００２４】
使用者の移動性のために、使用者は、頻繁に室外環境から室内環境に移動したり、室内環境から室外環境に移動する。一般的に、セルラーシステムにおいて、ＯＦＤＭ数秘学（ｎｕｍｅｒｏｌｏｇｉｅｓ）は、室外環境で性能を最適化するように設計される。他のセットのフォーマットまたはＯＦＤＭ数秘学は、室内使用に一層効果的になるように設計される。
【００２５】
モバイル（または使用者）が室内及び室外環境の間を歩き回るので、フレーム／スロット構造がその２個の環境に対して同期されるように、室内及び室外フォーマットのＯＦＤＭシンボル境界が周期的にアラインされる。この方法は、モバイルが２個の環境の間を移動するとき、ターゲットシステムの同期及び獲得のために遅延を除去することができる。また、この方法は、２個の環境の間の遷移を容易にするために、２個の環境（例えば、異なるフォーマットは、時分割マルチプレキシング方式で異なるインターレースに使用される。）に適したシステムを設計するのに有用である。
【００２６】
例えば、一つのインターレースは室内用として使用され、他のインターレースは室外用として使用される。すなわち、室内環境及び室外環境のためのサブパケットがインターレースされる。これは、室内セルと室外セルとの間の境界領域で助けになる。また、インターレース（例えば、室内及び室外のインターレーシング）の混合は、室内使用者と室外使用者との間のトラフィック必須要件に依存して適応することができる。
【００２７】
本発明の実施例は、室内使用に適したＯＦＤＭフォーマットセットを説明し、そのシンボル期間は室外フォーマットの倍数である。同一のフレーム／スロット構造が両環境に使用されるように、両フォーマットのシンボル境界が周期的にアラインされる。また、一つのシステムは、単一化されたフレーム／スロット構造を用いて二つの形態のＯＦＤＭフォーマットを時間的にマルチプレキシングすることができる。
【００２８】
システム帯域幅より大きいかそれと同一のサンプリング周波数に対応する最小の高速フーリエ変換（ＦＦＴ）大きさは、ＯＦＤＭ信号を送信及び／または受信するのに使用される。例えば、１．６８MHz基盤のクロックで、このようなシステム帯域幅に一般的に使用される２０４８の代わりに、１５３６のＦＦＴ大きさが２０．１６MHzまでのシステム帯域幅のための室外展開（または室外環境）に使用される。以下、異なるＣＰ及びトーンスペーシングを有する他の例を説明する。
【００２９】
次の説明は、異なるシンボル設計と関連したＯＦＤＭシンボル設計及び数秘学に関するものである。例えば、設計は、室外環境のための１．２２８８MHz及び１．６８MHzクロック（またはチップ）レートに基づいて行われる。室外環境のためのフォーマットは、従来の設計に基づいており、室外環境のためのフォーマットは、より狭いトーン（またはサブキャリア）スペーシングを有するより短いＣＰを有することができる。したがって、ＣＰオーバーヘッドが減少する。すなわち、スロット／フレーム当たりのＣＰオーバーヘッドが減少することで、シンボル期間が室外シンボル期間の二倍になる。最後に、スロット／フレーム構造は、室内及び／または室外展開（または環境）のためにアラインされる。
【００３０】
次の表は、室内及び室外環境のためのＯＦＤＭシンボル設計数秘学の多様な例を示している。実際のＯＦＤＭシンボル設計数秘学は、次の例に限定されることなく、他の数秘学が具現されることもある。
【００３１】
表１は、室外展開（または環境）のためのＯＦＤＭシンボル設計数秘学の一例を示している。ここで、チップ（またはクロック）レートは１．２２８８MHzに基づいている。
【表１】
2009538032.tif 000003
【００３２】
表２は、１.２２８８MHz基盤のクロックを有する６.５１μsＣＰ室外と一緒に使用される室内環境のための新しいＯＦＤＭシンボル設計数秘学の一例を示している。
【表２】
2009538032.tif 000004
【００３３】
表３は、１.２２８８MHzの基盤クロックを有する１３.０２μsＣＰ室外と一緒に使用される室内環境のための新しいＯＦＤＭシンボル設計数秘学の一例を示している。
【表３】
2009538032.tif 000005
【００３４】
表４は、１.２２８８MHz基盤のクロックを有する１９.５３μsＣＰ室外と一緒に使用される室内環境のための新しいＯＦＤＭシンボル設計数秘学の一例を示している。
【表４】
2009538032.tif 000006
【００３５】
表５は、１.２２８８MHz基盤のクロックを有する２６.０４μsＣＰ室外と一緒に使用される室内環境のための新しいＯＦＤＭシンボル設計数秘学の一例を示している。
【表５】
2009538032.tif 000007
【００３６】
表６は、室外環境のためのＯＦＤＭシンボル設計数秘学の一例を示している。ここで、チップレートは、１.６８MHzクロックに基づいている。
【表６】
2009538032.tif 000008
【００３７】
表７は、室内環境のための新しいＯＦＤＭシンボル設計数秘学の一例を示している。ここで、チップレートは、１.６８MHzクロックに基づいている。
【表７】
2009538032.tif 000009
【００３８】
表８は、室外環境のためのＯＦＤＭシンボル設計数秘学の一例を示している。ここで、チップレートは、１.２２８８MHzクロックに基づいている。
【表８】
2009538032.tif 000010
【００３９】
表９は、１.２２８８MHz基盤のクロックを有する９.７７μsＣＰ＋Ｗ室外環境と一緒に使用される室内環境のためのＯＦＤＭシンボル設計数秘学の一例を示している。
【表９】
2009538032.tif 000011
【００４０】
表１０は、１.２２８８MHz基盤のクロックを有する１６.２８μsＣＰ＋Ｗ室外環境と一緒に使用される室内環境のためのＯＦＤＭシンボル設計数秘学の一例を示している。
【表１０】
2009538032.tif 000012
【００４１】
表１１は、１.２２８８MHz基盤のクロックを有する２２．７９μsＣＰ＋Ｗ室外環境と一緒に使用される室内環境のためのＯＦＤＭシンボル設計数秘学の一例を示している。
【表１１】
2009538032.tif 000013
【００４２】
表１２は、１．２２８８MHz基盤のクロックを有する２９．３０μsＣＰ＋Ｗ室外環境と一緒に使用される室内環境のためのＯＦＤＭシンボル設計数秘学の一例を示している。
【表１２】
2009538032.tif 000014
【００４３】
表１３は、室外環境のためのＯＦＤＭシンボル設計数秘学の一例を示している。ここで、チップレートは、１．６８MHzクロックに基づいている。
【表１３】
2009538032.tif 000015
【００４４】
表１４は、１．６８MHz基盤のクロックを有する７．１４μsＣＰ＋Ｗ室外と一緒に使用される室内環境のためのＯＦＤＭシンボル設計数秘学の一例を示している。
【表１４】
2009538032.tif 000016
【００４５】
表１５は、１．６８MHz基盤のクロックを有する１１．９０μsＣＰ＋Ｗ室外と一緒に使用される室内環境のためのＯＦＤＭシンボル設計数秘学の一例を示している。
【表１５】
2009538032.tif 000017
【００４６】
表１６は、１．６８MHz基盤のクロックを有する１６．６７μsＣＰ＋Ｗ室外と一緒に使用される室内環境のためのＯＦＤＭシンボル設計数秘学の一例を示している。
【表１６】
2009538032.tif 000018
【００４７】
表１７は、１．６８MHz基盤のクロックを有する２１．４３μsＣＰ＋Ｗ室外と一緒に使用される室内環境のためのＯＦＤＭシンボル設計数秘学の一例を示している。
【表１７】
2009538032.tif 000019
【００４８】
叙述されたフォーマットは、室内環境のために意図されたものであるが、遅延拡散がＣＰ期間と低移動度より小さい任意の環境にも適用される。
【００４９】
上述したように、多様な数秘学が室内及び室外環境に適用される。動作において、数秘学は、基地局（またはネットワーク）の位置によって構成される。特に、基地局（ＢＳ）またはネットワークは、まず、室内または室外シンボル数秘学がアクセスターミナル（ＡＴ）からのチャネル品質情報（ＣＱＩ）及び／またはセクター情報（例えば、ＣＱＩカバー）に基づいているかを判定することができる。
【００５０】
ＣＱＩに基づいた室内環境にＡＴが位置するとＢＳまたはネットワークが判定する場合、ＢＳ（またはネットワーク）は、ＡＴに順方向リンク（ＦＬ）のための室内数秘学を使用するように指示する。すなわち、ＢＳは、室内数秘学を使用してデータを伝送する。
【００５１】
さらに、ＣＱＩに基づいた室内環境にＡＴが位置するとＢＳが判定する場合、ＢＳ（またはネットワーク）は、ＡＴに逆方向リンク（ＲＬ）のための室内数秘学を使用するように指示する。すなわち、ＢＳは、ＢＳにデータを伝送するとき、ＡＴに室内数秘学を使用するように指示する。
【００５２】
さらに、ＣＱＩに基づいた室外環境にＡＴが位置するとＢＳまたはネットワークが判定する場合、ＢＳ（またはネットワーク）は、ＡＴに順方向リンク（ＦＬ）のための室外数秘学を使用するように指示する。すなわち、ＢＳは、室外数秘学を使用してデータを伝送する。
【００５３】
さらに、ＣＱＩに基づいた室外環境にＡＴが位置するとＢＳが判定する場合、ＢＳ（またはネットワーク）は、ＡＴに逆方向リンク（ＲＬ）のための室外数秘学を使用するように指示する。すなわち、ＢＳは、ＢＳにデータを伝送するとき、ＡＴに室外数秘学を使用するように指示する。
【００５４】
ＡＴが室内または室外であることを表す室内または室外数秘学の応用において、ＡＴを一つの位置から他の位置に移動させることができる。すなわち、ＡＴは、室内環境から室外環境に、または室外環境から室内環境に移動することができる。この場合、ハンドオフ（またはハンドオーバー）が各環境の間で発生しうる。
【００５５】
上述したように、ＢＳ（またはネットワーク）からＡＴに室内または室外数秘学を使用するようにする指示を伝送するにおいて、スーパーフレームプリアンブルが使用される。スーパーフレームは、２５物理的フレーム及びプリアンブルで構成される。それぞれの物理的フレームは、８個のＯＦＤＭシンボル（例えば、８×１１３．９３μs（６．５１μs  ＣＰ）＝９１１．４４μs））で構成される。また、プリアンブルは、８個のＯＦＤＭシンボルを含む。また、第１ＲＬ物理的フレームは、ＦＬ及びＲＬ伝送をアラインするように延長される。図２は、ＦＬ及びＲＬのスーパーフレーム構造を示した例示的な図で、図３は、ＦＬ及びＲＬのスーパーフレーム構造を示した他の例示的な図である。
【００５６】
室内及び室外動作を具現するために、多少の物理的フレームが室内動作に割り当てられる。この情報は、スーパーフレームプリアンブルに含まれる。室内環境のために割り当てられた物理的フレームは、減少したＣＰ期間及び／または異なる数秘学を有する。
【００５７】
また、２個のスーパーフレーム構造、すなわち、室内環境のためのスーパーフレーム構造及び室外環境のためのスーパーフレーム構造がある。ここで、スーパーフレームは、互いにアラインされる。両フレーム構造は、信頼性のある獲得のために共通スーパーフレームプリアンブルを共有可能であるが、減少したＣＰ期間及び／または異なる数秘学を有する異なる物理的フレームを有することができる。
【００５８】
ＯＦＤＭシステムにおいて、時間及び周波数資源のうち一部が互いに割り当てられる。時間及び周波数資源の一部を割り当て、効率的な資源割り当てを容易にするために、全ての資源が複数のブロック（タイル（ｔｉｌｅ））に分割される。すなわち、複数のブロック（タイル）が互いに割り当てられる。
【００５９】
一般的に、ブロックまたはタイルは、１６個のサブキャリア及び８個のシンボル（例えば、ＯＦＤＭシンボル）で構成される。ブロック（またはタイル）はサブタイルに細分化される。
【００６０】
表１８乃至表２１は、タイル当たりに固定された３２個のトーン（またはサブキャリア）を有するタイル設計の例を示している。タイル当たりに固定された数のトーンを有することで、タイル当たりに統一された数のトーン（例えば、１２８トーン／タイル）が異なるサブキャリアスペーシング及びＣＰ＋Ｗ（ウィンドウ時間）と関係なしに与えられる。すなわち、全ての場合に対して、同一の資源分割方式が用いられる。
【００６１】
表１８は、タイル当たりに固定された３２個のトーンを有する４．５５kHzのサブキャリアスペーシングのためのタイル設計の例を示している。
【表１８】
2009538032.tif 000020
【００６２】
表１９は、タイル当たりに固定された３２個のトーンを有する４．２７kHzのサブキャリアスペーシングのためのタイル設計の例を示している。
【表１９】
2009538032.tif 000021
【００６３】
表２０は、タイル当たりに固定された３２個のトーンを有する４．１kHzのサブキャリアスペーシングのためのタイル設計の例を示している。
【表２０】
2009538032.tif 000022
【００６４】
表２１は、タイル当たりに固定された３２個のトーンを有する３．８４kHzのサブキャリアスペーシングのためのタイル設計の例を示している。
【表２１】
2009538032.tif 000023
【００６５】
また、各時間は、図４に示すように、２進ツリーノードとして使用者に割り当てられる。図４は、資源割り当てのためのツリー構造を示した例示的な図である。
【００６６】
図４を参照すると、ノード（（８，０）乃至（８，７））は、１．２５MHzの帯域幅を有する表１８に対するタイルを示している。ノードは、多様な方式で割り当てられる。例えば、一つのノードが一人の使用者に割り当てられ、任意の数のノードがそれぞれの使用者に割り当てられ、ノードジャンク（すなわち、（４，１）、（２，１）または（１，０））が一人の使用者に割り当てられる。ここで、（４，１）は、２個の連続されたタイル（（８，２）及び（８，３））を意味し、（２，１）は、４個の連続されたタイル（（８，４）乃至（８，７））を意味し、（１，０）は、一人の使用者に１．２５MHzの８個のファイルが割り当てられたことを意味する。
【００６７】
また、任意のタイプのツリー構造は、与えられた時間及び周波数資源で全ての数のタイルを満足させるのに使用される。すなわち、他のタイプのツリー構造も同一の目的を達成するために使用される。上述したように、図４は、ツリー構造（例えば、２進ノードツリー）の一例を示している。
【００６８】
上記の２進ツリー構造（または任意の他のツリー構造）が資源割り当てに使用されると、余分の（または残余の）タイル及び／または余分の（または残余の）トーンがある。これは、表１８乃至表２１の最後の２個のカラム（"余分のタイルの＃"及び"残余のトーンの＃"）に示されている。
【００６９】
これら余分の（または残余の）タイル及び／またはトーンは、正規データトーン、ガードトーンまたはパイロットトーンとして使用される。特に、余分の（または残余の）トーンは、各タイルの間に挿入されたパイロット信号として使用される。
【００７０】
表１８乃至表２１に示したタイル設計に基づいて、追加的なタイル設計が具現される。これらタイル設計は、タイル大きさを制御または調節する方式で余分の（または残余の）タイルを減少させることに重点を置いている。
【００７１】
表２２乃至表２５は、タイル当たりに異なる数のトーンを有するタイル設計の例を示している。タイル当たりに異なる数のトーンを有することで、より効率的に資源が割り当てられるとともに、余分の（または残余の）タイルの数が減少する。
【００７２】
表２２は、タイル当たりに固定された３３個のトーンを有する４．５５kHzのサブキャリアスペーシングのためのタイル設計の一例を示している。
【表２２】
2009538032.tif 000024
【００７３】
表２３は、タイル当たりに固定された３６個のトーンを有する４．２７kHzのサブキャリアスペーシングのためのタイル設計の例を示している。
【表２３】
2009538032.tif 000025
【００７４】
表２４は、タイル当たりに固定された３７個のトーンを有する４．１kHzのサブキャリアスペーシングのためのタイル設計の例を示している。
【表２４】
2009538032.tif 000026
【００７５】
表２５は、タイル当たりに固定された４０個のトーンを有する３．８４kHzのサブキャリアスペーシングのためのタイル設計の例を示している。
【表２５】
2009538032.tif 000027
【００７６】
表に示すように、帯域幅及び／またはトーンスペーシングに依存して、余分の（または残余の）タイルが発生する。小さい数の余分または残余のタイル（例えば、１または２タイル）が、例えば、ガードタイルとして使用される。一般的に、２個のタイルは、５MHz帯域幅でガードトーンに使用される。また、余分または残余のタイルは、データトーン及び／またはパイロットトーンに使用される。また、これら余分または残余のトーンは、正規データトーン、ガードトーン、各タイルの間に挿入されるパイロットトーンと同一の方法で使用される。
【００７７】
本発明の範囲を逸脱しない限度内で多様な変更及び修正が可能である。したがって、本発明は、添付された特許請求の範囲及びその同等物内で提供される本発明の変更及び修正をカバーする。
【図１】
2009538032.tif 000028
【図２】
2009538032.tif 000029
【図３】
2009538032.tif 000030
【図４】
2009538032.tif 000031
【国際調査報告】
2009538032.tif 000032
2009538032.tif 000033
2009538032.tif 000034
2009538032.tif 000035